(57)【要約】【課題】      ブラウザ機能と課金機能とをシームレスとした一つのアプリケーションプログラムを有する携帯電話機のような携帯型情報処理端末及びこのようなアプリケーションプログラムを送信可能なサーバを提供する。【解決手段】  ショップ共通アプリケーションプログラムは、携帯電話機９に課金機能とブラウザ（携帯版ＷＥＢサイトを閲覧可能な）機能とを実現させる一つのプログラムである。この課金機能とブラウザ機能とがシームレスとなるように、携帯サイト構築言語に課金機能を呼び出す専用タグが、サイトソース内に記載され、既存サイトの課金を行いたい箇所に追加して埋め込まれている。専用タグがダウンロードされた携帯サイトソース内に発見されると画面に課金ボタンが表示され（図２ステップＳ６、Ｓ７）、課金ボタンが操作されることにより課金処理へ移行する。【選択図】  図２
2006338655.tif 000002
【特許請求の範囲】
【請求項１】
携帯型情報処理端末に課金機能とブラウザ機能とを実現させる一つのアプリケーションプログラムを送信可能なサーバであって、
前記ブラウザ機能により表示されるサイトの画面には課金ボタンが表示可能であり、前記課金ボタンが操作されることにより前記課金機能が呼び出されるための専用タグがサイトソース内に埋め込まれており、
前記携帯型情報処理端末に搭載されたアプリケーションプログラムは前記専用タグを検知したことに応答して前記課金ボタンを表示させる、サーバ。
【発明の詳細な説明】
【技術分野】
【０００１】
本発明は、携帯型情報処理端末及びサーバに関し、特に携帯型情報処理端末に課金機能とブラウザ機能とを実現させる一つのアプリケーションプログラムを搭載した携帯型情報処理端末及びそのアプリケーションプログラムを携帯型情報処理端末に送信可能なサーバに関する。
【背景技術】
【０００２】
ｅコマース（ＥＣ）などにおける決済サービスを利用可能な携帯電話機に対するアプリケーションが提供され出した。特に、コンビニエンスストアなどでも、電子財布機能を持つ携帯電話機を財布代わりに使用するサービスも出てきた。参考文献として、特許文献１と特許文献２を挙げる。
【０００３】
【特許文献１】特開２００４−２８０６５６号公報
【特許文献２】特開２００２−３５２１７３号公報
【発明の開示】
【発明が解決しようとする課題】
【０００４】
しかしながら、各ｅコマースのサイトとの関係では、特に携帯電話機という制限下ではユーザに提供する情報の表示画面のレイアウトなどの点で自由度には制限があり、実質的に専用フォーマットのアプリケーションが要求され、既存の素材を転用等して利用することは困難である。また、専用フォーマットが要求される傾向である結果、多種類のレイアウト要望に対応するとすれば別々のアプリケーションが必要とされる一方、ユーザからすれば各ｅコマースのサイトにアクセスして決済を行うことを希望する毎に専用のアプリケーションをダウンロードして対応する必要があり、不便であった。
【０００５】
ゆえに、本発明は、上記問題を解決すべく、ブラウザ機能と課金機能とをシームレスとした一つのアプリケーションプログラムを搭載した携帯電話機のような携帯型情報処理端末及びこのようなアプリケーションプログラムを携帯型情報処理端末に送信可能なサーバを提供する。
【課題を解決するための手段】
【０００６】
本願に係る発明は、携帯型情報処理端末において、携帯型情報処理端末には課金機能とブラウザ機能とを実現させる一つのアプリケーションプログラムが搭載され、ブラウザ機能により表示されるサイトの画面には課金ボタンが表示可能であり、課金ボタンが操作されることにより課金機能が呼び出されるための専用タグがサイトソース内に埋め込まれており、アプリケーションプログラムが専用タグを検知したことに応答して課金ボタンを表示させる。
【０００７】
本願に係る発明は、携帯型情報処理端末に課金機能とブラウザ機能とを実現させる一つのアプリケーションプログラムを送信可能なサーバであって、ブラウザ機能により表示されるサイトの画面には課金ボタンが表示可能であり、課金ボタンが操作されることにより課金機能が呼び出されるための専用タグがサイトソース内に埋め込まれており、携帯型情報処理端末に搭載されたアプリケーションプログラムが専用タグを検知したことに応答して課金ボタンを表示させる。
【０００８】
なお、上記発明を、名称がアプリケーションプログラムという技術的思想と捉えてもよく、名称が上記アプリケーションプログラムを記録した記録媒体という技術的思想と捉えてもよい。
【発明の効果】
【０００９】
本発明によれば、上記専用タグにより一つのアプリケーションプログラムであってもブラウザ機能と課金機能とがシームレスとなる。したがって、ユーザにとっての利便性が向上するとともに、アプリケーションを共通化しつつ、既存の素材を最大限に利用してバリエーションに富む表示画面をユーザに示すこともできる。
【発明を実施するための最良の形態】
【００１０】
図１はサイトとサーバと携帯電話機との関係を示す図である。図２及び図３はサイトとサーバと携帯電話機との関係を示す動作説明図である。
【００１１】
サイト１のサーバにはショップＡのデータが蓄積されており、サイト３のサーバにはショップＢのデータが蓄積されており、サイト５のサーバにはショップＣのデータが蓄積されている。各ショップのデータは、商品データを含み、中継サーバ７から各サイト１、３、５のサーバにアクセス可能である。
【００１２】
中継サーバ７にはショップ共通アプリケーションプログラムが準備されており、ユーザはショップ共通アプリケーション１１を携帯電話機９にダウンロードできる（図２ステップＳ１）。このショップ共通アプリケーション１１は中継サーバ７経由で各サイト１、３、５のサーバにアクセスするので、各サイト１、３、５のサーバの設置場所は同一箇所である必要はなく中継サーバ７からアクセスできる範囲で自由に選択できる。そして、ユーザは携帯電話機９から各サイト１、３、５のサーバに接続することが可能となる。
【００１３】
上記したショップ共通アプリケーションプログラムは、携帯電話機９に課金機能とブラウザ（携帯版ＷＥＢサイトを閲覧可能な）機能とを実現させる一つのプログラムである。この課金機能とブラウザ機能とがシームレスとなるように、携帯サイト構築言語に課金機能を呼び出す図４に示すような専用タグが、サイトソース内に記載されて既存サイトの課金を行いたい箇所に追加して埋め込まれている。なお、この専用タグはｉモード用コンパクトHTML形式としており、課金に必要な情報がパラメータとして記載されている。
【００１４】
このようなアプリケーションプログラムが、サービス利用者であるユーザに、図２に示すダウンロードにより（図２ステップＳ２〜Ｓ５）、或いは携帯電話機に当初から搭載されて配布される。このアプリケーションは、専用タグがダウンロードされた携帯サイトソース内に発見されると画面に課金ボタンを表示し（図２ステップＳ６、Ｓ７）、ユーザは、専用タグが埋め込まれたサイトの画面を閲覧できる。なお、中継サーバ７は、このアプリケーションがダウンロードしたサーバ以外とは通信できないというセキュリティの面で必要とさせている。
【００１５】
そして、ユーザはそのボタンを押すなどの操作を行うことができ（図３ステップＳ８）、上記したパラメータにより課金処理が呼び出される（図３ステップＳ９）。課金手段として例えばフェリカのような特定処理が必要とされるかが判断され（図３ステップＳ１０）、特定処理が必要であればそのネットワークを利用した課金処理が行われ（図３ステップＳ１１、Ｓ１２）、特定処理に関するデータ更新も行われる（図３ステップＳ１３）。一方、クレジット等の上記特定処理以外であれば、中継サーバ７を介して課金処理が行われ（図３ステップＳ１４〜Ｓ１６）、中継サーバ７にその結果情報が送られて（図３ステップＳ１７）、最終的に結果表示が行われる（図３ステップＳ１８）。
【００１６】
図５は本発明に係る携帯電話機の画面の例を示した図である。
【００１７】
図５を用いて、ユーザがサービスを利用する状況を説明する。ユーザが、例えば複数のショップが参加しているショッピングモールを利用するべきアクセスを行うと、図５（Ａ）のモールサイトTOP画面が携帯電話機９の表示部に表示される。この中で、ユーザが文房具屋△△を選んだとすると、図５（Ｂ）のような画面が携帯電話機９の表示部に表示される。なお、上記ではメニューの中から選んだが検索機能より選ぶことができてもよい。
【００１８】
ユーザは、このショップ内に売られている商品一覧から各商品選択することにより、図５（Ｃ）のような商品説明を見て、購入希望商品を探す。図５（Ｃ）では、鉛筆が示されており、課金ボタンである「購入」ボタンが表示されている。ここで、ユーザは、この商品を購入することを希望しており、購入本数として１０本を入力し、「購入」ボタンを押す操作を行う。これにより、課金機能が呼び出され、図５（Ｄ）に示す課金情報確認画面が表示される。そして、ユーザは、「ＯＫ」ボタンを押して操作すれば購入処理が行われて、販売が完了する。
【００１９】
ところで、上記において図５（Ｂ）に示す各ショップの画面以降の画面は、各ショップが既存の素材を生かした上での自由なレイアウトにて作成することが可能である。
【００２０】
以上のように、搭載されたブラウザ機能によりユーザは通常の携帯サイトのままの画面で閲覧可能な上で、このブラウザ機能に課金機能がシームレスなためにユーザの利便性が高い。そして、このシームレスな機能の組み合わせにおいて、既存の素材と技術をそのまま利用したサイト構築が可能であり、さらに携帯電話機向けサイト構築言語の範囲でレイアウトが自由であるために様々な課金サイトの多種多様なレイアウト要望にも一つのアプリケーションで対応でき、アプリケーションの共通化も可能である。
【００２１】
なお、ここで、上記では携帯電話機向けサイト構築言語の一例としてCHTML形式を示したが（図４参照）、他の携帯電話機向けサイト構築言語であってもよい。例えば、MML
、HDML、WML、XHTMLが挙げられる。但し、現状のように携帯キャリア側が共通化・標準化されていない状況であっても、本発明においてアプリ側で統一的に例えばCHTML形式を採用することによりサイト製作者はその統一的なCHTMLで製作すれば足り、サイト製作者側の製作負担が軽減され、サイトソースが同一となりメンテナンスも一箇所ですむ。さらに、携帯電話キャリアに対して言語の共通化・標準化が進めば本発明におけるアプリ側もその言語を用いることにより、コンテンツ製作者側は言語の問題をより考慮することもなくなりコンテンツ制作負担がさらに軽減される。
【図面の簡単な説明】
【００２２】
【図１】サイトとサーバと携帯電話機との関係を示す図である。
【図２】サイトとサーバと携帯電話機との関係を示す第１の動作説明図である。
【図３】サイトとサーバと携帯電話機との関係を示す第２の動作説明図である。
【図４】専用タグの一例を示す図である。
【図５】本発明に係る携帯電話機の画面の例を示した図である。
【符号の説明】
【００２３】
７    中継サーバ
９    携帯電話機
【図１】
2006338655.tif 000003
【図２】
2006338655.tif 000004
【図３】
2006338655.tif 000005
【図４】
2006338655.tif 000006
【図５】
2006338655.tif 000007